(57)【要約】【課題】本発明は、外付けフラッシュランプの閃光時間を制御する方法を提供する。【解決手段】外付けフラッシュランプの閃光時間を制御する方法は、携帯装置に外付けフラッシュランプを組み合わせ、撮影の補光を行う際に用いられる。この方法は、閃光可能期間の前の特定事件を検測することを含む。そのうち、閃光可能期間は、特定フレームが最後列感光部材の露出開始時間から特定フレームの第一列感光部材の露出終了時間までを指す。また、特定事件の発生時間は、閃光可能期間に相対し、固定した時間の長さである。特定事件から所定の遅延時間が経過した後、閃光指示がトリガーリングされることによって、外付けフラッシュランプの閃光時間を閃光可能期間内に入らせる。【選択図】図３
2016099626.tif 000002
【特許請求の範囲】
【請求項１】
携帯装置と外付けフラッシュランプとが組み合わせられたとき、撮影の補光を行うのに用いられる方法であって、
閃光可能期間前の特定事件を検測し、前記閃光可能期間は、特定フレームの最後列感光部材の露出開始から前記特定フレームの第一列感光部材の露出終了までの時間であり、前記特定事件の発生時間は、前記閃光可能期間に相対して固定した時間の長さであるステップと、
前記外付けフラッシュランプが前記特定事件から所定時間遅延後に閃光指示を受けるよう、前記特定事件が発生する情報を前記外付けフラッシュランプに通知し、前記外付けフラッシュランプの閃光時間を前記閃光可能期間内に入らせるステップと、を含むことを特徴とする外付けフラッシュランプの閃光時間を制御する方法。
【請求項２】
前記遅延時間は、フラッシュランプの遅延時間および前記特定事件から前記閃光可能期間までの時間によって決定されることを特徴とする請求項１に記載の外付けフラッシュランプの閃光時間を制御する方法。
【請求項３】
前記特定事件の発生時間をｔ０とし、前記特定フレームの最後列感光部材の露出開始時間をｔ１とし、前記特定フレームの第一列感光部材の露出終了時間をｔ２とし、前記遅延時間がｔ０から計算してｔｄ１であり、かつ前記外付けフラッシュランプがトリガーリングされた閃光指示を受け取ってから実際に閃光するまで、遅延時間ｔｄを有し、前記遅延時間ｔｄの始点が、閃光指示がトリガーリングされる時点である場合、ｔ１−ｔｄ−ｔ０<ｔｄ１<ｔ２−ｔｄ−ｔ０になることを特徴とする請求項２に記載の外付けフラッシュランプの閃光時間を制御する方法。
【請求項４】
前記遅延時間は、
（Ａ）所定の遅延時間に基づき、フレームの露出を行うステップ、および、
（Ｂ）露出後のフレームを検査し、感光部材の輝度と参照閾値とを比較し、並びに感光部材の輝度のうち参照閾値より低いものがあるか否かを判断するステップ、を含み、
（Ｃ１）輝度が前記参照閾値より低い感光部材がない場合、今回の露出時間を遅延時間と設定し、
（Ｃ２）輝度が前記参考閾値より低い感光部材がある場合であって、かつ先に露出を受け取った感光部材の輝度が参考閾値より低いとき、遅延時間を減少し、ステップ（Ａ）に戻り、
（Ｃ３）輝度が前記参照閾値より低い感光部材がある場合であって、かつ後に露出を受け取った感光部材の輝度が参照閾値より低いとき、遅延時間を増加し、ステップ（Ａ）に戻ることを特徴とする請求項１に記載の外付けフラッシュランプの閃光時間を制御する方法。
【請求項５】
輝度の参照閾値の設定方法は、フラッシュランプを点灯しない状況下で露出を行い、取得されたあらゆる感光部材の輝度の最低のもの、最高のもの、平均値、または特定位置における感光部材の輝度を参照閾値とすることを特徴とする請求項４に記載の外付けフラッシュランプの閃光時間を制御する方法。
【請求項６】
環境光が比較的に暗いとき参照閾値を低く調整し、環境光が比較的に明るいとき参照閾値を高く調整するステップをさらに含むことを特徴とする請求項４に記載の外付けフラッシュランプの閃光時間を制御する方法。
【請求項７】
前記遅延時間は、前記外付けフラッシュランプの駆動プログラムまたは前記携帯装置に取り付けられたアプリケーションプログラムに予め設定されていることを特徴とする請求項１に記載の外付けフラッシュランプの閃光時間を制御する方法。
【請求項８】
前記遅延時間は、前記外付けフラッシュランプに含まれている記憶装置に保存されていることを特徴とする請求項１に記載の外付けフラッシュランプの閃光時間を制御する方法。
【請求項９】
前記特定事件は、
前記特定フレームのうち、一列の感光部材の露出開始時間、または、
前記特定フレームの前のＮ個フレームのうち、一列の感光部材の露出開始時間、または、
前記特定フレームの前のＮ個フレームのうち、一列の感光部材の露出終了時間を含み、Ｎは自然数であることを特徴とする請求項１に記載の外付けフラッシュランプの閃光時間を制御する方法。
【請求項１０】
携帯装置と外付けフラッシュランプとが組み合わせられたとき、撮影の補光を行うときに用いられる方法であって、
前記携帯装置の発光時点を検知するステップ、
前記携帯装置の発光時点から所定の遅延時間後に閃光指示がトリガーリングされることによって、前記外付けフラッシュランプの閃光時間が閃光可能期間内に入らせるステップと、を含み、
前記閃光可能期間は、特定フレームの最後列感光部材の露出開始から前記特定フレームの第一列感光部材の露出終了までの時間であることを含むことを特徴とする外付けフラッシュランプの閃光時間を制御する方法。
【請求項１１】
前記携帯装置の発光時点は、前記携帯措置に内蔵された発光ダイオード補助光ランプの第一回または第二回発光開始時間を含むことを特徴とする請求項１０に記載の外付けフラッシュランプの閃光時間を制御する方法。
【請求項１２】
前記遅延時間は、
（Ａ）所定の遅延時間に基づき、フレームの露出を行うステップ、および、
（Ｂ）露出後のフレームを検査し、感光部材の輝度と参照閾値との比較を行い、感光部材の輝度のうち参照閾値より低いものがあるか否かを判断するステップ、含み、
（Ｃ１）輝度が前記参照閾値より低い感光部材がない場合、今回露出の遅延時間を遅延時間と設定し、
（Ｃ２）輝度が前記参照閾値より低い感光部材がある場合であって、かつ先に露出を受け取った感光部材の輝度が前記参照閾値より低いとき、遅延時間を減少し、ステップ（Ａ）に戻り、
（Ｃ３）輝度が参照閾値より低い感光部材がある場合であって、かつ後で露出を受け取った感光部材の輝度が参照閾値より低いとき、遅延時間を増加し、ステップ（Ａ）に戻ることを特徴とする請求項１０に記載の外付けフラッシュランプの閃光時間を制御する方法。
【請求項１３】
前記輝度の参照閾値の設定方法は、フラッシュランプを点灯しない状況下で露出を行い、取得されたあらゆる感光部材の輝度が最低のもの、最高のもの、平均値、または特定位置における感光部材の輝度を参照閾値とすることを特徴とする請求項１２に記載の外付けフラッシュランプの閃光時間を制御する方法。
【請求項１４】
環境光が比較的に暗いときは、前記参照閾値を低く調整し、環境光が比較的に明るいときは、参照閾値を高く調整するステップをさらに含むことを特徴とする請求項１２に記載の外付けフラッシュランプの閃光時間を制御する方法。
【請求項１５】
前記遅延時間は、前記外付けフラッシュランプの駆動プログラムまたは前記携帯装置に取り付けられたアプリケーションプログラムに予め設定されていることを特徴とする請求項１０に記載の外付けフラッシュランプの閃光時間を制御する方法。
【請求項１６】
前記遅延時間は、前記外付けフラッシュランプに含まれている記憶装置に保存されていることを特徴とする請求項１０に記載の外付けフラッシュランプの閃光時間を制御する方法。
【請求項１７】
携帯装置と外付けフラッシュランプとが組み合わせられたとき、撮影の補光を行うのに用いられる方法であって、
閃光可能期間前の特定事件を検測し、前記閃光可能期間は、特定フレームの最後列感光部材の露出開始から前記特定フレームの第一列感光部材の露出終了までの時間であり、前記特定事件の発生時間は、前記閃光可能期間に相対して固定した時間の長さであるステップと、
閃光遅延時間および前記特定事件から閃光可能期間までの時間に基づき、閃光指示がトリガーリングされることによって、前記外付けフラッシュランプの閃光時間が前記閃光可能期間内に入らせるステップと、を含むことを特徴とする外付けフラッシュランプの閃光時間を制御する方法。
【請求項１８】
前記特定事件は、前記特定フレームの第一列感光部材の露出開始時間を含み、
前記固定時間の長さは、第一列感光部材の露出開始時間から最後列感光部材の露出開始時間までの長さであることを特徴とする請求項１に記載の外付けフラッシュランプの閃光時間を制御する方法。
【請求項１９】
前記特定事件は、前記特定フレームの第Ｋ列感光部材の露出開始時間を含み、
前記固定時間の長さは、第Ｋ列感光部材の露出開始時間から最後列感光部材の露出開始時間までの時間の長さであり、
Ｋは自然数であることを特徴とする請求項１に記載の外付けフラッシュランプの閃光時間を制御する方法。
【請求項２０】
前記特定事件は、前記特定フレームにおける前のＮ個フレームの第Ｋ列感光部材の露出開始時間を含み、
前記固定時間の長さは、Ｎ個のフレームの時間に、第Ｋ列感光部材の露出開始時間から最後列感光部材の露出開始時間までの時間を加えた長さであり、
Ｎ、Ｋは自然数であることを特徴とする請求項１に記載の外付けフラッシュランプの閃光時間を制御する方法。
【請求項２１】
前記特定事件は、前記特定フレームにおける前のＮ個フレームの第Ｋ列感光部材の露出終了時間を含み、
前記固定時間の長さは、ＮまたはＮ−１個フレームの時間に、第Ｋ列感光部材の露出終了時間から最後列感光部材の露出開始時間までの時間を加えた長さであり、
Ｎ、Ｋは自然数であることを特徴とする請求項１に記載の外付けフラッシュランプの閃光時間を制御する方法。
【請求項２２】
特定事件は、使用者がシャッタを押した後から前記携帯装置の内蔵された発光ダイオード補助光ランプの第一回発光が開始する時間を含み、
前記外付けフラッシュランプは、測光装置を含み、
前記外付けフラッシュランプの測光装置が前記携帯装置の内蔵された発光ダイオード補助光ランプの補光開始時間を検知したとき、フラッシュランプの遅延時間および前記携帯装置の内蔵された発光ダイオード補助光ランプの補光開始時間から前記閃光可能期間までの時間に基づき、前記外付けフラッシュランプは閃光指示がトリガーリングされることによって、前記外付けフラッシュランプの閃光時間が前記閃光可能期間内に入らせることを特徴とする請求項１に記載の外付けフラッシュランプの閃光時間を制御する方法。
【請求項２３】
特定事件は、使用者がシャッタを押した後から前記携帯装置の内蔵された発光ダイオード補助光ランプの第二回発光開始時間が含まれており、
前記外付けフラッシュランプは、測光装置が含まれており、
前記外付けフラッシュランプの測光装置が前記携帯装置の内蔵された発光ダイオード補助光ランプの補光開始時間を感知したとき、フラッシュランプの遅延時間および前記携帯装置の内蔵された発光ダイオード補助光の第二回補光開始時間から前記閃光可能期間までの時間に基づき、前記外付けフラッシュランプは閃光指示がトリガーリングされることによって、前記外付けフラッシュランプの閃光時間が閃光可能期間内に入らせることを特徴とする請求項１に記載の外付けフラッシュランプの閃光時間を制御する方法。
【請求項２４】
前記固定時間の長さの誤差値は、前記閃光可能期間の半分より小さいことを特徴とする請求項１に記載の外付けフラッシュランプの閃光時間を制御する方法。
【発明の詳細な説明】
【技術分野】
【０００１】
本発明は、フラッシュランプに関し、特に、携帯装置における外付けフラッシュランプの撮影を制御する方法に関する。
【背景技術】
【０００２】
デジタル撮影の画素および品質が進歩するにつれて、携帯装置（例えば携帯電話、タブレットコンピュータなど）に撮影機能が備え付けられることが趨勢となっている。しかしながら、これらの内蔵されたデジタルカメラは、低い光源または逆光の状況下においては、従来のデジタルカメラに匹敵するものではない。
【０００３】
内蔵されたデジタルカメラもＬＥＤ（発光ダイオード）補助光ランプが設置されているが、携帯装置の電池容量およびＬＥＤ放熱などの問題により、ＬＥＤ補助光ランプの補助光量が大きく制限される。携帯装置と被写体との距離が１メートルを超えた場合、ＬＥＤは、十分な光源を提供できず、感光部材が適度に露出させる。
【０００４】
キセノンフラッシュランプは、短時間内に大量の補助光源を提供することができるため、従来のデジタルカメラには、よくキセノンフラッシュランプが設置されている。キセノンフラッシュランプは、充電装置により、低電圧の電池電源を高圧電源に転換され、並びに大容量の高圧コンデンサに蓄蔵される。メカニカルシャッタに合わせて、適切な時間にキセノンフラッシュランプがトリガーリングされることによって、高圧コンデンサに蓄蔵された電気エネルギが、非常に短い時間で高輝度の補助光源に転換され、感光部材が低い光源または逆光の状況下で、適度に露出させる。キセノンフラッシュランプは、数十μＦから数百μＦで、三百から四百ボルトの耐電圧を有する高圧コンデンサが必要である。これらのコンデンサの体積は、非常に大きいため、携帯装置が軽薄短小の場合、負担可能な範囲ではない。よって、携帯装置の体積および重量を増加させない前提下で、外付けキセノンフラッシュランプは、実行可能で必要な選択肢となっている。
【０００５】
高圧コンデンサの容量およびキセノンフラッシュランプチューブの規格により、キセノンフラッシュランプの閃光時間は約数十ミリ秒から数百ミリ秒に至る。如何に正確な時点に閃光することにより、あらゆる感光部材が均等に露出させるかは、外付けキセノンフラッシュランプが実行可能であるか否かのもう一つの重要な課題である。一般的に携帯装置の備え付けられる撮影装置は、ＣＭＯＳ感光部材であり、並びにメカニカルシャッタは、備え付けられず、ローリングシャッタ（ｒｏｌｌｉｎｇ  ｓｈｕｔｔｅｒ）が使用されている。図１に示すとおりである。図１は、先行技術のローリングシャッタを示している。図１をご参照ください。図１において、各線は、感光部材の各線の感光時間を示す。一つのフレーム（ｆｒａｍｅ）内における各列感光部材の露出時間の長さは、同様であるが、各列の露出開始および終了時間は、すべて前の列と所定の遅延時間が隔たっている。この遅延時間内に撮影装置は、感光部材の情報を読み取り、並びにリセットが完成することによって、次のフレームの露出が進行する。撮影状況および撮影装置の設定が異なることによって、各列の露出時間は、約数ミリ秒から数百ミリ秒に至る。
【０００６】
しかしながら、ローリングシャッタの制限により、外付けキセノンフラッシュランプは、しばしば最良の閃光時機を探し出すことができないため、撮影品質を高めることができない。
【発明の概要】
【発明が解決しようとする課題】
【０００７】
本発明の目的は、外付けフラッシュランプの閃光時間を制御する方法を提供することにある。
【課題を解決するための手段】
【０００８】
外付けフラッシュランプの閃光時間を制御する方法は、携帯装置と外付けフラッシュとが組み合わせ、撮影の補光を行う時に用いられ、以下の内容を含む。閃光期間前の特定事件を検測し、前記閃光期間は、特定フレームが、最後列感光部材の露出開始時間から特定フレームの第一列感光部材の露出終了の時間までを指す。外付けフラッシュランプが特定事件から所定時間遅延後に閃光指示を受けるよう、特定事件が発生する情報を外付けフラッシュランプに通知し、外付けフラッシュランプの閃光時間を閃光可能期間内に入らせる。
【０００９】
また、遅延時間は、フラッシュランプの遅延時間および特定事件から閃光可能期間までの時間によって決定される。
【００１０】
また、特定事件の発生時間をｔ０とし、特定フレームにおける最後列感光部材の露出開始時間をｔ１とし、特定フレームにおける第一列感光部材の露出終了時間をｔ２とし、遅延時間は、ｔ０により計算してｔｄ１であり、かつ外付けフラッシュランプがトリガーリングされた閃光指示を受けてから実際に閃光するまで、遅延時間ｔｄを有する。そのうち、遅延時間ｔｄの始点は、閃光指示がトリガーリングされた時点である。よってｔ１−ｔｄ−ｔ０<ｔｄ１<ｔ２−ｔｄ−ｔ０になる。
【００１１】
また、遅延時間は以下のステップにより決定される。（Ａ）所定された遅延時間に基づき、フレームの露出が行われる。（Ｂ）露出後のフレームを検査し、感光部材の輝度と参考閾値とを比較することによって、輝度が参考閾値より低い感光部材があるか否かを判断する。（Ｃ１）輝度が参考閾値より低い感光部材がないとき、今回の露出の遅延時間を遅延時間と設定する。（Ｃ２）輝度が参考閾値より低い感光部材があり、かつ先に露出を受け取った感光部材の輝度が参考閾値より低いとき、遅延時間を減少し、ステップ（Ａ）に戻る。（Ｃ３）輝度が参考閾値より低い感光部材があり、かつ後に露出を受け取った感光部材の輝度が参考閾値より低いとき、遅延時間を増加し、ステップ（Ａ）に戻る。
【００１２】
また、輝度の参考閾値の設定方法は以下の内容を含む。フラッシュランプを点灯しない状況下で露出を行い、取得されたあらゆる感光部材の輝度のなか、最低のもの、最高のもの、平均値、または特定位置にある感光部材の輝度を参考閾値とする。
【００１３】
また、外付けフラッシュランプの閃光時間を制御する方法は、以下の内容をさらに含む。環境光が比較的に暗いとき、参考閾値を低く調整し、環境光が比較的に明るいときは、参考閾値を高く調整する。
【００１４】
また、遅延時間は、外付けフラッシュランプの駆動プログラムまたは携帯装置の取り付けられたアプリケーションプログラムに予め設定する。
【００１５】
また、遅延時間は、外付けフラッシュランプに含まれている記憶装置に保存されている。
【００１６】
また、特定時間は、特定フレームのうちの一列の感光部材の露出開始時間、または特定フレームの前Ｎ個フレームのうちの一列の感光部材の露出開始時間、または前記特定フレームの前Ｎ個フレームのうちの一列の感光部材の露出終了時間、そのうちＮは自然数であることを含む。
【００１７】
本発明は、外付けフラッシュランプの閃光時間を制御する方法を提供し、この方法は、携帯装置と外付けフラッシュランプとが組み合わせ、撮影の補光を行うときに用いられ、以下の内容を含む。携帯装置の発光時点を検知する。携帯装置が発光された時点から所定の遅延時間後に、閃光指示がトリガーリングされることによって、外付けフラッシュランプの閃光時間を閃光可能期間内に入らせる。そのうち、閃光可能期間は、特定フレームの最後列感光部材の露出開始時間から特定フレームの第一列感光部材の露出終了時間までを指す。
【００１８】
また、携帯装置の発光する時点は、携帯装置に内蔵された発光ダイオード補助光ランプの第一回または第二回発光開始時間を含む。
【００１９】
本発明は、外付けフラッシュランプの閃光時間を制御する方法を提供し、携帯装置と外付けフラッシュランプとが組み合わせ、撮影の補光を行うときに用いられる。この方法は以下の内容を含む。閃光可能期間前の特定事件を検測する。そのうち、閃光可能期間は、特定フレームの最後列感光部材の露出開始時間から特定フレームの第一列感光部材の露出終了時間までを指す。また、特定事件の発生時間は、閃光可能期間に相対して固定した時間の長さであり、フラッシュランプの遅延時間および特定時間から閃光可能期間までの時間に基づき、閃光指示がトリガーリングされることによって、外付けフラッシュランプの閃光時間を閃光可能期間内に入らせる。
【００２０】
また、特定事件は、特定フレームの第一列感光部材の露出開始時間を含む。そのうち固定時間の長さは、第一列感光部材の露出開始時間から最後列感光部材の露出開始時間までを指す。
【００２１】
また、特定事件は、特定フレームの第Ｋ列感光部材の露出開始時間を含む。また、固定時間の長さは、第Ｋ列感光部材の露出開始時間から最後列感光部材の露出開始時間までを指し、Ｋは自然数である。
【００２２】
また、特定事件は、特定フレームの前Ｎ個フレームの第Ｋ列感光部材の露出開始時間を含む。また、固定時間の長さは、Ｎ個フレームの時間に、第Ｋ列感光部材の露出開始時間から最後列感光部材の露出開始時間までの時間を加えた時間の長さであり、そのうち、Ｎ、Ｋは自然数である。
【００２３】
また、特定事件は、特定フレームの前Ｎ個フレームの第Ｋ列感光部材の露出終了時間を含む。また、固定時間の長さは、ＮまたはＮ−１個フレームの時間に、第Ｋ列感光部材の露出終了時間から最後列感光部材の露出開始時間までの時間を加えた時間の長さであってもよい。そのうちのＮ、Ｋは自然数である。
【００２４】
また、特定事件は、使用者がシャッタを押した後、携帯装置に内蔵された発光ダイオード補助光ランプの第一回または第二回発光開始時間を含む。そのうち、外付けフラッシュランプは、測光装置を含む。外付けフラッシュランプの測光装置により携帯装置に内蔵された発光ダイオード補助光ランプの第一回または第二回補光開始時間が検知される。フラッシュランプの遅延時間および携帯装置に内蔵された発光ダイオード補助光ランプの補光開始時間から閃光可能期間の時間に基づき、外付けフラッシュランプは、閃光指示がトリガーリングされることによって、外付けフラッシュランプの閃光時間が閃光可能期間内に入らせる。
【００２５】
本発明は、特定事件を利用している。この特定事件の発生時間は、閃光可能時間に比べて、相対的に安定的で知ることが可能であり、かつフラッシュランプの遅延時間に合わせて、フラッシュランプがトリガーリングされることによって、フラッシュランプを閃光可能期間内に閃光させる。よって、本発明の撮影方法により、感光部材は、低い光源または逆光の状況下であっても適度に露出させることができることで、携帯装置の撮影品質を高める効果を果たす。
【図面の簡単な説明】
【００２６】
【図１】従来のローリングシャッタを示す図である。
【図２】本発明の第一実施形態における閃光に適切な時間を示す図である。
【図３】本発明の第一実施形態における撮影方法を示すフローチャートである。
【図４】本発明の第一実施形態における撮影方法に採用された携帯装置に内蔵された発光ダイオード補助光ランプの信号を表す特性図である。
【図５】本発明の第一実施形態における撮影方法に採用された外付けフラッシュランプのシステム構成を示す模式図である。
【図６】本発明の第二実施形態による外付けフラッシュランプのシステム構成を示す模式図である。
【図７】本発明の第三実施形態による外付けフラッシュランプのシステム構成を示す模式図である。
【図８】本発明の第三実施形態による撮影方法を示すフローチャートである。
【図９】本発明の第四実施形態による撮影方法を示すフローチャートである。
【発明を実施するための形態】
【００２７】
本発明の目的、技術内容、特徴および達成された効果についてさらに理解を深めるために、以下具体的な実施形態に対して詳細な説明を加える。
【００２８】
（第一実施形態）
図２は、本発明の実施形態において閃光に適切な時間を示す。図２に示すように、閃光に適切な時間はｔ１およびｔ２の間に位置する。この時間内での閃光は、各列の感光部材により受信することができる。もし閃光時間がｔ１より早ければ、後列における感光部材が露出することができない。もし閃光時間がｔ２より遅ければ、前列の感光部材が露出することができない。しかしながら、携帯装置は、通常マルチタスキング（ｍｕｌｔｉ−ｔａｓｋｉｎｇ）を実行するため、使用者がシャッタを押してからｔ１またはｔ２までの遅延時間は、決して固定ではない。そのため、先行技術では、外付けフラッシュの閃光時間がｔ１およびｔ２の間に安定的に制御される実行可能で信頼性の高い方法がなかったことで、外付けキセノンフラッシュランプの使用が深刻に制限されている。そこで、本発明は、図２に基づき、撮影方法を提示することによって、外付けフラッシュの閃光時間がｔ１およびｔ２の間に安定的に制御することができる。
【００２９】
図３は、本発明における好ましい実施形態の撮影方法を示す流れ図である。図３をご参照ください。撮影方法として携帯装置の外付けキセノンフラッシュランプを使用し、携帯装置が撮影時に、補光動作が進行される。この撮影方法は以下のステップを含む。
【００３０】
ステップＳ３００：開始。
【００３１】
ステップＳ３０１：閃光可能期間前の特定事件を検測する。図２をご参照ください。一般的に、携帯措置の使用されている画素取り込み装置は、上述のローリングシャッタ（ｒｏｌｌｉｎｇ  ｓｈｕｔｔｅｒ）であるため、携帯装置内部の感光部材は、一つ一つ順次に露出する。また、携帯装置内部の各感光部材を露出する方法として積分方式が使用されているため、図２に示すように、閃光可能期間は、取り込まれた特定フレームの時間ｔ１および時間ｔ２の間に位置する。図２からわかるように、時間ｔ１および時間ｔ２は、最後列の感光部材が露出を開始（積分開始）する時間から第一例の感光部材が露出を終了する（積分終了）時間までを指す。もしこの時間内に閃光すれば、各掃引線は、すべて積分方式により感光が進行する。
【００３２】
携帯装置が、使用者によりシャッタ指示が押されたことが確認されたとき、測光、焦点合わせなどの準備作業が進行され、取り込もうとする特定フレームおよび感光部材の露出時間が決定される。このとき、外付けフラッシュ装置の閃光可能区間ｔ１〜ｔ２を知ることができる。たとえば、設計者は、特定のアプリケーションプログラムを設計することによって、特定フレームの時間を事前に推測する。または、その他のハードウェアの信号を利用することにより、特定フレームの時間を判定することができる。よって、本実施形態において特定事件の発生時間を取り入れ、事前に推測する基礎となる。この特定事件の発生時間は、上述の閃光可能期間に相対して固定した時間の長さである。即ち相対的に安定的で知ることが可能な時間である。
【００３３】
携帯装置におけるアプリケーションプログラムの実現方法を例にして説明すれば、携帯電話のアプリケーションプログラムは、上述した特定フレームの第一列感光部材が露出開始時間を取り込み、上述の特定事件にすることができる。このとき、固定時間の長さは、第一列感光部材の露出開始時間から最後列感光部材の露出開始時間までである。上述の特定事件は、上述の特定フレームの第Ｋ列感光部材の露出開始時間であってもよい。このとき、固定時間の長さは、第Ｋ例感光部材の露出開始時間から最後列感光部材の露出開始時間までである。また、上述の特定事件は、上述した特定フレームの前Ｎ個フレームの第Ｋ列感光部材の露出開始時間であってもよい。このとき、固定時間の長さは、Ｎ個フレームの時間に、第Ｋ列感光部材の露出開始時間から最後列感光部材の露出開始時間までを加えた時間の長さである。上述の特定事件は、特定フレームの前Ｎ個フレームの第Ｋ列感光部材の露出終了時間であってもよい。このとき、もし第Ｋ列感光部材の露出終了時間が最後列感光部材の露出開始時間より早ければ、上述の固定時間の長さは、Ｎ個フレームの時間に、第Ｋ列感光部材の露出終了時間から最後列感光部材の露出開始時間までの長さを加えた長さである。もし第Ｋ列感光部材の露出終了時間が最後列感光部材の露出開始時間より遅ければ、上述の固定時間の長さは、Ｎ−１個フレーム時間に、第Ｋ列感光部材の露出終了時間から最後列感光部材の露出開始時間までの時間を加えた時間の長さである。以上は、閃光可能期間の最後の時点を「固定時間の長さ」の計算基礎としているが、時間ｔ１および時間ｔ２の間における任意の時点を「固定時間の長さ」の計算基礎としても同等である。
【００３４】
外付けハードウェアの角度から言えば、上述の特定事件は、携帯装置の内蔵された発光ダイオード補助光ランプの信号であってもよい。図４は、本発明の好ましい実施形態の撮影方法に使用している携帯装置の内蔵された発光ダイオード補助光ランプの信号を示すオシログラムである。図４をご参照ください。携帯装置が撮影を行うとき、内蔵された発光ダイオード補助光ランプの第一回発光は、レンズが光線を集束していることを表す。内蔵された発光ダイオード補助光ランプの第二回発光は、画像取り込み（感光する）の動作が進行しはじめることを表す。よって、本発明のステップＳ３０１において、上述の特定事件は、発光ダイオード補助光ランプの第一回発光または発光ダイオード補助光ランプの第二回発光であってもよい。
【００３５】
ステップＳ３０２：フラッシュランプの遅延時間および上述の特定事件から閃光可能期間までの時間に基づき、閃光指示がトリガーリングされることによって、外付けフラッシュランプの閃光時間が閃光可能期間内に入らせる。フラッシュランプそのものは、トリガーリングされた閃光指示を受け取ってから実際に閃光するまで、遅延時間を有する。よって、上述の特定事件から閃光可能期間までの時間を考慮するほか、フラッシュランプそのものの遅延時間も考慮したほうがよい。簡単に言えば、上述の特定事件から閃光可能期間までの時間が固定値であり、フラッシュランプそのものの遅延時間が、既知値であるため、これに基づいてどの時点に閃光指示がトリガーリングされるかを決定することができる。たとえば、トリガーリングされた閃光指示を受け取ってから実際に閃光するまでの遅延時間がｔｄ（即ち、遅延時間ｔｄの基準始点は閃光指示がトリガーリングされた時点である。）であれば、閃光指示がトリガーリングされる時間は、ｔ１−ｔｄからｔ２−ｔｄの間にある。または、遅延時間ｔｄの基準始点を上述の特定事件の時間から計算し、並びに上述の特定事件の発生時間がｔ０とすれば、閃光時間は、ｔ１−ｔ０<ｔｄ<ｔ２−ｔ０という関係式を満たす必要があり、ｔｄ終了後に直ちに外付けフラッシュ装置が閃光するよう、指示する。遅延時間ｔｄの始点を計算するとき、上述の特定事件の時間と差異がある場合、その差異も考慮範囲に入れ、遅延時間ｔｄの定義によって決定する必要がある。
【００３６】
前述の外付けフラッシュランプは、ハードウェアにより接続され、携帯装置の備え付けられているユニバーサルシリアルバス（ＵＳＢ）またはヘッドホンジャックにより電気的に結合され、携帯装置内部のソフトウェアにより特定事件が判断される。たとえば、感光開始時間または発光ダイオードにより信号が点灯されることによって、閃光技術が行われる。本発明の内容から、光結合の方法を実施形態として採用してもよい。図５は、本実施形態における撮影方法による外付けフラッシュのシステム構成図である。図５をご参照ください。このほか、外付けフラッシュランプ５０が携帯装置と非電気的に接続される場合、外付けフラッシュランプ５０は、光センサ回路５０１、遅延回路５０２、フラッシュランプ駆動回路５０３およびキセノンランプ５０４を含む。光センサ回路により携帯装置５１における発光ダイオード補助光ランプの発光を検知し、上述の特定事件とする。よって、キセノンランプ５０４が閃光時間（ｔ１〜ｔ２）に閃光するよう、駆動される。
【００３７】
このほか、本実施形態においては、光結合の方法により実施しているが、本発明の技術領域から無線を採用してもよい。たとえばＷＩＦＩ、近距離無線通信（Ｎｅａｒ  Ｆｉｅｌｄ  Ｃｏｍｍｕｎｉｃａｔｉｏｎ，ＮＦＣ）またはブルートゥース（登録商標）の方法、携帯装置がシャッタ音を発する方法を結合して実施してもよい。故に、本発明はこれに限らない。
【００３８】
さらに、一般的に言えば、上述のいくつかの特定事件の発生する時間は、上述の閃光可能期間に相対して固定した時間の長さである。即ち相対的に安定的で知ることが可能な時間である。しかしながら、設計者は、上述のいくつかの事件に誤差がないことを保障することができない。よって、本発明は、上述のいくつかの特定事件の発生時間が上述の閃光可能期間の時間に相対して、誤差が許容可能な範囲より小さければ、（たとえば、閃光可能期間の二分の一以内である。）本発明の引き受け可能な範囲に属する。
【００３９】
（第二実施形態）
このほか、フラッシュランプが外付けハードウェアである角度から言えば、外付けフラッシュランプは、必ず異なるメーカ型番の携帯装置に適応しなければならない。単一の携帯装置の場合、上述の特定事件の発生時間から上述の閃光可能期間までの時間が固定値であるが、異なるメーカ型番の携帯装置である場合、前記固定値は異なっている。実施形態において、一部のメーカ型番の携帯装置の固定値が既知であるとき、事前に異なる既知の固定値を外付けフラッシュランプの駆動プログラムまたは携帯装置に取り付けられたアプリケーションプログラムに予め設定することができる。図６をご参照ください。たとえば、携帯装置に外付けフラッシュランプが設置されたとき、アプリケーションプログラムを付帯して取り付けることができる。このアプリケーションプログラムによって携帯装置のメーカ型番または関連属性を識別した後に遅延回路５０２の遅延時間ｔｄ１が決定される。前述のように、フラッシュランプがトリガーリングされた閃光指示を受け取ってから実際に閃光するまで遅延時間ｔｄ（遅延時間ｔｄの基準始点は閃光指示がトリガーリングされる時点とする。）を有するため、閃光指示がトリガーリングされる時間がｔ１−ｔｄからｔ２−ｔｄの間にあるよう、遅延回路５０２の遅延時間ｔｄ１を制御する必要がある。上述の特定事件の発生時間がｔ０であり、かつ遅延時間ｔｄ１もｔ０から計算すれば、ｔ１−ｔｄ−ｔ０<ｔｄ１<ｔ２−ｔｄ−ｔ０になる。
【００４０】
（第三実施形態）
本発明の第三実施形態において、異なる既知の固定値をハードウェア回路に保存することができる。図７および図８をご参照ください。本実施形態において、まず、少なくとも一つの携帯装置は、特定事件の発生時間から閃光可能期間までの時間が定数であり、外付けフラッシュランプ５０の記憶装置（記憶体５０５）に保存されている（ステップＳ８０１）。撮影するとき、外付けフラッシュランプ５０は、携帯装置と通信することによって、携帯装置のメーカ型番または関連属性が取得する（ステップＳ８０２）。並びに、記憶装置に保存された時間定数を参照し、遅延時間ｔｄ１が決定される（ステップＳ８０３）。次いで、特定事件の発生が検測される（ステップＳ８０４）。特定事件が発生した後、時間ｔｄ１を遅延し、その後閃光指示がトリガーリングされる（Ｓ８０５）。
【００４１】
（第四実施形態）
本発明の第四実施形態において、（図９をご参照ください。）一部のメーカ型番の携帯装置の固定値が未知である場合、チェッカプログラムにより、最適な遅延時間を取得することができる。本実施形態において、例えば、携帯装置に外付けフラッシュランプを設置し初めて撮影しようとするとき、または外付けフラッシュランプの駆動プログラムを取り付けるとき、またはその他適切な時機において、テスト撮影プログラムを起動する（ステップ９０１）。テスト撮影プログラムにおいて、携帯装置は、外付けフラッシュランプと組み合わせ、所定の遅延時間に基づき、フレーム露出が行われる（ステップＳ９０２）。次いで、露出後のフレームを検査し、感光部材の輝度と参照閾値とを比較し（ステップＳ９０３）、参照閾値より輝度の低い感光部材があるか否かが判断される（ステップＳ９０４）。もし参照閾値より輝度の低い感光部材がなければ、今回露出の遅延時間を遅延時間と設定する（ステップＳ９０５）。もし参照閾値より輝度の低い感光部材があり、かつ先に露出を受け取る感光部材（図１における第１列または前のいくつかの列）の輝度が参照閾値（ステップＳ９０６、Ｓ９０７）より低い場合、遅延時間（閃光指令がトリガーリングされる時間を繰り上げる）を減少し（ステップＳ９０８）、ステップＳ９０２に戻る。もし参照閾値より輝度の低い感光部材があり、かつ後に露出を受け取る感光部材（図１における第Ｎ列または後のいくつかの列）の輝度が参照閾値（Ｓ９０６、Ｓ９０９）より低い場合、遅延時間（閃光指令がトリガーリングされる時間を繰り下げる）を増加し（ステップＳ９１０）、ステップＳ９０２に戻る。このように、適切な遅延時間を探し出す。
【００４２】
判断ミスを防止するために、必ずある閾値を超えた感光部材の輝度が参照閾値より低い場合、遅延時間の調整が必須とみなすよう、設定することができる。
【００４３】
（他の実施形態）
このほか、他の実施形態において、輝度の参照閾値を以下のように設定している。例えば、フラッシュランプを点灯しない状況下で露出を行い、得られた輝度（すべての感光部材のうち、輝度が最低のもの、最高のもの、平均値または特定の位置における感光部材の輝度、たとえば中心部、四周または隅のもの）を参照閾値とする。
【００４４】
他の実施形態において、参照閾値の設定は、環境光に対する検知に基づき、調整されている。たとえば、携帯装置に環境光センサが設置されていれば、環境光の検知された数値に基づき、環境光が比較的に暗いとき、参照閾値を低く調整し、環境光が比較的に明るいとき、参照閾値を高く調整する対応ができる。
【００４５】
上述のように、本発明は、特定事件を利用している。この特定事件の発生時間は、閃光可能期間に比べて相対的に安定的で知ることが可能であり、かつフラッシュランプの遅延時間を制御し、フラッシュランプがトリガーリングされることによって、フラッシュランプを閃光可能期間内に閃光させる。よって、本発明の撮影方法により、感光部材が、低い光源または逆光の状況下においても適度に露出させ、携帯装置の撮影品質を高める効果を果たすことができる。
【００４６】
本発明の好ましい実施形態における詳細な説明に記載された具体的な実施形態は、単なる本発明の技術内容を説明するのに用いられるだけで、本発明を上述の実施形態に制限することではない。本発明の思想、目的および特許請求の範囲内でのあらゆる変化の実施は、すべて本発明の特許請求の範囲に属する。よって、本発明の保護範囲は、特許請求の範囲を基準とする。
【符号の説明】
【００４７】
Ｓ３００〜Ｓ３０２  ステップ
Ｓ８００〜Ｓ８０５  ステップ
Ｓ９００〜Ｓ９１０  ステップ
５０１  光センサ回路
５０２  遅延回路
５０３  フラッシュランプ駆動回路
５０４  キセノンランプ
５０５  記憶体
５１  携帯装置
【図１】
2016099626.tif 000003
【図２】
2016099626.tif 000004
【図３】
2016099626.tif 000005
【図４】
2016099626.tif 000006
【図５】
2016099626.tif 000007
【図６】
2016099626.tif 000008
【図７】
2016099626.tif 000009
【図８】
2016099626.tif 000010
【図９】
2016099626.tif 000011